(57)【要約】【課題】  操作性に優れるとともに、コストが安価であり、既存の戸障子にも適用できるところの、引き違いと折り畳みによる全開を可能にした戸障子の開閉構造を提供する。【解決手段】  戸障子５を引き違いにより開閉自在とした戸障子の開閉構造において、戸障子５を、複数の分割戸障子５０ａ〜５０ｄをヒンジ部８において相互に折り畳み可能に連結して構成する。鴨居摺動溝３１にはスリット７１をもったガイドレール７を設ける。また、分割戸障子５０ａ〜５０ｄにおける上下端の対応位置に、それぞれ係合移動部材６Ａ，６Ｂを設け、上部の係合移動部材６Ａを、スリット７１にガイドされる軸体６０と、戸障子の折り畳み時にスリット７１の両側のレール板７１ａ，７１ａ面上に位置して摺動する係止体６２，６２とを有するものとし、下部の係合移動部材６Ｂを敷居摺動溝４１内に摺動自在とする。【選択図】    図１
2006138081.tif 000002
【特許請求の範囲】
【請求項１】
鴨居と敷居とに沿って複数の戸障子を引き違いにより開閉自在とした戸障子の開閉構造において、
上記戸障子のそれぞれが、平板状をなすように連結された略等大の複数の分割戸障子をヒンジ部において相互に折り畳み可能に連結することにより構成され、
上記鴨居に設けられた戸障子の摺動溝には、該戸障子を摺動自在に保持するスリットをもったガイドレールが設けられ、
複数の上記分割戸障子における上下端の対応位置に、上記摺動溝におけるスリットおよび敷居の摺動溝に係合する係合移動部材が設けられ、
上記分割戸障子の上部の係合移動部材が、該上部に立設されて上記スリットにガイドされる軸体と、該軸体から、それに直交し且つ分割戸障子の戸障子面と平行する方向に突出して、分割戸障子を折り畳んだ状態で上記スリットの両側のレール板面上に位置するように設けられた係止体とを備え、
上記分割戸障子の下部の係合移動部材が、敷居の摺動溝内での分割戸障子の回転を許容する構成を有している、
ことを特徴とする戸障子の開閉構造。
【請求項２】
上記戸障子が、４枚の分割戸障子からなり、
上記上部および下部の係合移動部材が、上記平板状状態のそれぞれの戸障子における少なくとも両端部近傍に設けられている、
ことを特徴とする請求項１に記載の戸障子の開閉構造。  
【請求項３】
上記鴨居の摺動溝に設けたガイドレールが、該ガイドレールの両側面のそれぞれの下端から相互の対向方向に水平に張り出して上記スリットを形成する一対のレール板を有するチャンネル材から構成されている、
ことを特徴とする請求項１または２に記載の戸障子の開閉構造。
【請求項４】
上記係止体が、上記ガイドレールにおけるスリットの両側のレール板面上にガイドされるローラ状をなし、その転動により分割戸障子を該ガイドレールに沿って吊下状態で移動可能とした、
ことを特徴とする請求項１ないし３のいずれかに記載の戸障子の開閉構造。
【請求項５】
上記下部の係合移動部材が、敷居の摺動溝に嵌る円盤状をなす、
ことを特徴とする請求項１ないし４のいずれかに記載の戸障子の開閉構造。
【請求項６】
上記それぞれの戸障子は、それらの各分割戸障子が戸障子面の同一側に突出するように折り畳まれる、
ことを特徴とする請求項１ないし５のいずれかに記載の戸障子の開閉構造。
【発明の詳細な説明】
【技術分野】
【０００１】
本発明は、鴨居と敷居とに沿って複数の戸障子が引き違いにより開閉される戸障子の開閉構造に関するものである。
【背景技術】
【０００２】
従来和風建築における鴨居と敷居とに沿って取付けられた障子や襖といった建具は、引き違い式に納めるのが一般的である。  
しかしながら、近年洋風建築の普及に伴い折り畳んだり、回転したりして開口部を全開することができるサッシが広く用いられるようになってくると、和風建築においても、開口部を全開することができる障子や襖が求められてきた。障子や襖を全開にすることにより、押入襖などでは、布団などの物品の出し入れが容易になり、また、部屋同士の間仕切りの襖や、部屋と廊下等との間を仕切る障子では、容易に広い開口を得ることができるので、その需要は益々高まっている。
【０００３】
ところが、引き違い式の開閉にも捨て難い利点もあり、上記全開する方式にも、引き違い式にもできる障子や襖が求められていた。
この需要に答えるべく、障子や襖複数の分割戸障子をヒンジ部で相互に連結することにより折り畳み自在に形成し、それらを折り畳むことにより全開にすることができるとともに、非折り畳み状態では引き違いでも開閉することができる戸障子が提案されている（特許文献１）。
しかしながら、この種の戸障子の開閉構造においては、サッシに摺動自在に組み付けた戸障子を、分割戸障子の折り畳みによる全開、および引き違いで開閉できるようにするため、鴨居および敷居に設けたガイドレールに対する分割戸障子の支持構造が複雑化するのが通例であり、特に、各分割戸障子を折り畳みのために特定の鉛直軸線の周りで回転自在にすると同時に上記ガイドレールに沿って移動自在とする構造が複雑化し、それに伴って組み付けが煩雑になり、コスト高になっていた。  
【０００４】
【特許文献１】実開昭５５−４３２７２号公報
【発明の開示】
【発明が解決しようとする課題】
【０００５】
本発明は、従来の上記問題を解決し、既存の戸障子の開閉構造にも適用でき、構造が単純化して、低コストで提供できるようにした戸障子の開閉構造を提供することにある。
【課題を解決するための手段】
【０００６】
上記課題を解決するため、本発明は、鴨居と敷居とに沿って複数の戸障子を引き違いにより開閉自在とした戸障子の開閉構造において、上記戸障子のそれぞれが、平板状をなすように連結された略等大の複数の分割戸障子をヒンジ部において相互に折り畳み可能に連結することにより構成され、上記鴨居に設けられた戸障子の摺動溝には、該戸障子を摺動自在に保持するスリットをもったガイドレールが設けられ、複数の上記分割戸障子における上下端の対応位置に、上記摺動溝におけるスリットおよび敷居の摺動溝に係合する係合移動部材が設けられ、上記分割戸障子の上部の係合移動部材が、該上部に立設されて上記スリットにガイドされる軸体と、該軸体から、それに直交し且つ分割戸障子の戸障子面と平行する方向に突出して、分割戸障子を折り畳んだ状態で上記スリットの両側のレール板面上に位置するように設けられた係止体とを備え、上記分割戸障子の下部の係合移動部材が、敷居の摺動溝内での分割戸障子の回転を許容する構成を有することを特徴とするものである。
【０００７】
上記本発明の戸障子の開閉構造の好ましい実施形態においては、上記戸障子が、４枚の分割戸障子からなり、上記上部および下部の係合移動部材が、上記平板状状態のそれぞれの戸障子における少なくとも両端部近傍に設けられる。
また、本発明の戸障子の開閉構造の他の好ましい実施形態においては、上記鴨居の摺動溝に設けたガイドレールが、該ガイドレールの両側面のそれぞれの下端から相互の対向方向に水平に張り出して上記スリットを形成する一対のレール板を有するチャンネル材から構成される。
【０００８】
さらに、上記係止体は、上記ガイドレールにおけるスリットの両側のレール板面上にガイドされるローラ状をなし、その転動により分割戸障子を該ガイドレールに沿って吊下状態で移動可能とすることができ、また、上記下部の係合移動部材は、敷居の摺動溝に嵌る円盤状をなすものとすることができる。
上記それぞれの戸障子は、それらの各分割戸障子が戸障子面の同一側に突出するように折り畳まれることが望まれる。
【０００９】
上記構成を有する本発明の戸障子の開閉構造によれば、従来の和風建築における障子や襖を設置するための鴨居および敷居をそのまま使用し、上記鴨居にスリットを有するチャンネル材からなるガイドレールを取り付けることにより、上述した戸障子を設置することができ、しかも複数の上記分割戸障子における上下端の対応位置に係合移動部材を設け、該係合移動部材を、上記スリットにガイドされる軸体と、該軸体に直交し且つ分割戸障子の戸障子面と平行する方向に突出する係止体によって構成し、該係止体を、分割戸障子を折り畳んだ状態で上記スリットの両側のレール板面上に位置するようにしているので、戸障子を引き違いで開閉する際には上記軸体がスリットによりガイドされ、一方、分割戸障子を折り畳んだ際には、上記係止体がスリットに対して直交する方向に向くので、折り畳んだ戸障子が敷居に沿う方向に傾倒するのを抑止できる。
【発明の効果】
【００１０】
以上に詳述した本発明に係る戸障子の開閉構造によれば、既存の戸障子の開閉構造にも適用でき、構造が単純化して、低コストで提供することができる。
【発明を実施するための最良の形態】
【００１１】
以下に、図面に示す実施例に基づいて本発明を詳細に説明する。
図示した本発明の実施例は、図１に示すように、左右一対の縦枠２，２間において鴨居３および敷居４の間に納められた戸障子５が、第１戸障子５Ａと第２戸障子５Ｂとからなり、これらにより上記一対の縦枠２，２間が開放・閉鎖されるものである。上記第１、第２戸障子５Ａ，５Ｂは、それぞれ、ヒンジ部８で相互に連結された実質的に略等大の複数（４枚）の分割戸障子５０ａ〜５０ｄからなり、該分割戸障子のヒンジ部８における連結により交互に逆方向に折り畳み可能にし、あるいは、平板状をなすよう展開可能に形成している。上記ヒンジ部８は、隣接する分割戸障子を相互に連結する複数の蝶番８ａによって形成されている。
【００１２】
上記鴨居３および敷居４のそれぞれには、第１戸障子５Ａと第２戸障子５Ｂとが摺動自在に係合する各２本の平行する鴨居摺動溝３１，３１と２本の敷居摺動溝４１，４１とが設けられている（図３参照）。そして、鴨居摺動溝３１内には、分割戸障子における上部の係合移動部材６Ａが係合するスリット７１をもったガイドレール７が取り付けられている。上記ガイドレール７は、図３に示すように、鴨居摺動溝３１に密着嵌合する下向きのコ字状の部分とこのコ字状の両側面の下端から相互の対向方向に水平に張り出して上記スリット７１を形成する一対のレール板７１ａ，７１ａを有するチャンネル材から構成されたもので、木ネジ７２により鴨居摺動溝３１内に固定される。
図３は、上記鴨居摺動溝３１にガイドレール７の取付ける態様を示すとともに、引き違いに摺動する戸障子５ガイドレール７に装着する状態を示している。
【００１３】
一方、上記敷居摺動溝４１は、分割戸障子の下部の係合移動部材６Ｂが嵌入して係合する溝によって形成されている。必要に応じて、この敷居摺動溝４１にもその内面をカバーするコ字状のチャンネル材を嵌着することができる。
上記鴨居摺動溝３１，３１と敷居摺動溝４１，４１とは、従来から用いられている和風建築における障子や襖の摺動溝をそのまま利用することができるものである。また、上記係合移動部材６Ａと係合移動部材６Ｂとは、以下に説明するように、必要な分割戸障子の対応する上端面および下端面に設けられるものである。
【００１４】
第１の分割戸障子５０ａおよび第４の分割戸障子５０ｄは、それぞれ、縦枠２側に位置する両端の縦桟５１ａ，５１ｄを他の部位の桟より厚くして引き手部の機能をもたせ、互いに対象形状に形成している。また、第２の分割戸障子５０ｂと第３の分割戸障子５０ｃとは、上下の係合移動部材６Ａ，６Ｂの設置位置を除いて、同一形状に形成されている。
そして、上記第１〜第４の分割戸障子５０ａ〜５０ｄは、それらをヒンジ部８において折り畳んで重ねると、分割戸障子５０ａ〜５０ｄの端面同士が平面状となり、それらを左右いずれかの縦枠２，２に当接させると、コンパクトに重畳されるようにしている。
【００１５】
上記第１、第２戸障子５Ａ，５Ｂは、それぞれが平板状に展開された状態では、上記ヒンジ部８またはその他の適宜位置に設けた図示しないロック機構の作用により、上記平板状を呈した状態に仮保持され、そのため、第１、第２戸障子５Ａ，５Ｂの引き違い動作に支障をきたすことはない。
【００１６】
上記係合移動部材６Ａ，６Ｂは、上記分割戸障子における上下端の対応位置にそれぞれ設けられ、それらをガイドレール７および敷居摺動溝４１に係合させることにより、戸障子５を鴨居３と敷居４との間に摺動自在に納めるためのものである。
上部の係合移動部材６Ａは、分割戸障子の上端に垂直に設けられ、上記スリット７１にガイドされる軸体６０と、該軸体６０から、それに直交し且つ分割戸障子の戸障子面と平行する方向に突出する一対の係止体６２，６２とを備え、該係止体６２，６２がその向きに固定されている。これらの係止体６２，６２は、分割戸障子を折り畳んだ状態でスリット７１の両側のレール板７１ａ，７１ａの面上に位置するように設けられるローラ状のもので、該レール板面上を転動させることもできるが、その形状に限るものではない。
【００１７】
一方、下部の係合移動部材６Ｂは、分割戸障子の下端面に設けられて敷居摺動溝４１に嵌入する突子であり、その形状は円盤状であることが好ましいが、これに限らず、分割戸障子の下端面に設けられ、敷居摺動溝４１内で分割戸障子の回転を許容するものであればよい。
【００１８】
上記一対の係合移動部材６Ａ,６Ｂは、少なくとも、平板状に展開した状態の第１、第２戸障子５Ａ，５Ｂにおける両端部の上下端、すなわち、図１における第１戸障子５Ａの第１の分割戸障子５０ａの左端上下部、および第４の分割戸障子５０ｄの右端上下部にそれぞれ設けられる。また、第１および第２戸障子５Ａにおける第２の分割戸障子５０ｂの上記右端上下部にも係合移動部材６Ａ，６Ｂを設けているが、第３の分割戸障子５０ｃの左端上下部にも同様に設けることができる。つまり、係合移動部材６Ａ，６Ｂは、各戸障子が平板状に展開した状態および折り畳まれた状態で安定的にその姿勢を保持して移動できる範囲内で設ければよく、より安定させるためには、各分割戸障子にそれぞれ係合移動部材を設ければよい。
【００１９】
上記構成を有する戸障子の開閉構造によれば、図４に示すように、第１、第２戸障子５Ａ，５Ｂを平板状に展開した状態で、引き違い障子として、従来の戸障子と同様に鴨居３および敷居４に沿って移動させ、図５に示すように開放することができ、また、鴨居および敷居間への戸障子の装着も、通常の戸障子と同様に行うことができる。
特に、上記戸障子を押入れ襖として利用する場合などには、図２に示すように、分割戸障子５０ａ〜５０ｄを折り畳んだ際に、それらの分割戸障子が襖の外側で折り畳まれるようにしておくと、押入の収納スペースを狭めることがない。また、各分割戸障子に取り付ける係合移動部材６Ａ，６Ｂの位置を調整することにより、それらの分割戸障子の折り畳み時における突出方向および突出量を調整することができる。
【００２０】
第１、第２戸障子５Ａ，５Ｂを折り畳むことによって開口部を大きく開放するときは、図６に示すように戸障子５Ａ，５Ｂにおける各分割戸障子５０ａ〜５０ｄを折り畳み、縦枠２に当接する位置に移動させればよい。図６における第２戸障子５Ｂは、折り畳み中の状態を示しているが、この状態になった後は、それぞれの係合移動部材６Ａにおける係止体６２がスリット７１に対して角度を持ち、両側のレール板７１ａ，７１ａの上に位置するようになり、最終的には上記係止体６２がスリット７１に対して直交する方向に向くので、折り畳んだ戸障子が敷居に沿う方向に傾倒するのが抑止される。
上記第１、第２戸障子５Ａ，５Ｂは、各係合移動部材６Ａにおける係止体６２を介してガイドレール７に吊下させることもでき、それによって戸障子を安定的に移動させることが可能になる。
【００２１】
このように、上記戸障子は、引き違いおよび折り畳みによる全開のいずれでも開閉できるので、状況に応じて、好ましい態様を選択することができる。
また、上部の係合移動部材６Ａは、スリット７１にガイドされる軸体６０と、該軸体６０に直交してその両側に設けられた係止体６２から形成され、これが分割戸障子にその戸障子面と平行に固定されたものであり、一方、下部の係合移動部材６Ｂは、上部の係合移動部材６Ａに対応する分割戸障子の下端面に固定された円盤状等の突起体であり、これらはきわめて簡単な構造を有し、そのうえ、これら係合移動部材６Ａ，６Ｂを有する戸障子は、従来の戸障子と同様に鴨居および敷居に嵌合するだけで、戸障子を引き違いにも、折り畳みによる全開にも使用することができるものである。
【００２２】
本発明は、上述の実施例に限らず、特許請求の範囲を逸脱しない範囲において、種々の構成を取ることができる。
例えば、分割戸障子の連結枚数、および上部および下部の係合移動部材の設置箇所は、上述の実施例に限るものではない。分割戸障子は２枚以上であれば何枚でもよく、それらを連結するヒンジ部は、蝶番に限らず、種々のヒンジ機構を用いることができる。また、上記の係合移動部材は、上記戸障子の両端部近傍に設けることが好ましいが、これに限るものではなく、戸障子が支障なく開閉できる適宜の箇所に設ければよい。さらに、上記実施例では戸障子を２枚用いたが、これに限らず３枚以上でもよい。
【図面の簡単な説明】
【００２３】
【図１】本発明の実施例の一部を省略した正面図である。
【図２】図１におけるＡ−Ａ矢視方向の断面図である。
【図３】ガイドレールの取付け態様および係合移動部材のスリットへの取付け態様を示す縦側断面図である。
【図４】第１、第２戸障子で開口部を閉鎖した状態の一部切欠斜視図である。
【図５】引き違いにより第１、第２戸障子で開口部を開放した状態の一部切欠斜視図である。
【図６】第１、第２戸障子を折り畳んで、開口部を開放する状態の一部切欠斜視図である。
【符号の説明】
【００２４】
２      縦枠
３      鴨居
４      敷居
５      戸障子
５Ａ    第１戸障子
５Ｂ    第２戸障子
６Ａ    上部の係合移動部材
６Ｂ    下部の係合移動部材
７      ガイドレール
８      ヒンジ部
３１    鴨居摺動溝
４１    敷居摺動溝
５０ａ〜５０ｄ  分割戸障子
６０    軸体
６２    係止体
７１    スリット
７１ａ  レール板  
【図１】
2006138081.tif 000003
【図２】
2006138081.tif 000004
【図３】
2006138081.tif 000005
【図４】
2006138081.tif 000006
【図５】
2006138081.tif 000007
【図６】
2006138081.tif 000008